(57)【要約】【課題】  設計の自由度を広げて意匠性の向上を図ると共に、発光部に対する塗装膜や塗装片の付着防止や発光部の欠け防止を図ったインジケータ表示装置を提供する。【解決手段】  インジケータ表示装置１１は、スイッチ素子１３を備えたスイッチ基板１２と、照光部材１４と、パネル部材１５と、ジョイスティックボタン１６を備える。スイッチ素子１３に連結されたジョイスティックボタン１６の操作方向を表示する照光表示部１９が備えられたキャップ部材１７が、パネル部材１５に設けられたキャップ装着孔部１５ａに装着される。キャップ部材１７の照光表示部１９を内側から照光する発光部１４ｄが照光部材１４に備えられる。【選択図】    図１
2005347206.tif 000002
【特許請求の範囲】
【請求項１】
多方向スイッチに設けられたスイッチ操作部の操作方向を照光により表示する照光表示部が、前記スイッチ操作部の周囲に備えられたインジケータ表示装置において、
前記照光表示部が備えられたキャップ部材が、パネル部材に設けられたキャップ装着孔部に装着され、キャップ部材の照光表示部を内側から照光する発光部が備えられたことを特徴とするインジケータ表示装置。
【請求項２】
請求項１に記載のインジケータ表示装置において、
前記発光部は、発光体の光を案内する導光体の一側面に突設された突部の端面に備えられていることを特徴とするインジケータ表示装置。
【請求項３】
請求項１または請求項２に記載のインジケータ表示装置において、
前記キャップ部材は、光透過材料により形成されたキャップ本体を備え、キャップ本体に前記照光表示部の領域を除いて塗装による塗装膜が施されていることを特徴とするインジケータ表示装置。
【請求項４】
請求項１または請求項２に記載のインジケータ表示装置において、
前記キャップ部材は、前記照光表示部が光透過材料で形成されると共に照光表示部以外の部分が遮光材料で形成されていることを特徴とするインジケータ表示装置。
【発明の詳細な説明】
【技術分野】
【０００１】
本発明は、車両に搭載される機器等におけるスイッチ操作部の操作方向を表示するインジケータ表示装置に関するものである。
【背景技術】
【０００２】
従来、図４ないし図６に示されるようなインジケータ表示装置１があり、所望の配線パターンが形成されたスイッチ基板２と、スイッチ基板２上に実装されたスイッチ素子３と、スイッチ基板２上に配置された照光部材４と、スイッチ素子３や照光部材４を覆ってスイッチ基板２上に装着されるパネル部材５と、パネル部材５外よりスイッチ素子３の操作軸３ａに連結されるジョイスティックボタン６とを備えた構造とされている。
【０００３】
前記スイッチ素子３は例えば、上下左右の４方向に接点を有する多方向スイッチとされている。
【０００４】
前記照光部材４は、透明なアクリル樹脂等からなる導光体により構成され、板状の導光板部４ａと、スイッチ素子３の周囲を囲繞する厚肉形状とされた円環状の環状部４ｂと、環状部４ｂの上面に周方向に離隔して突設された４個所の細長い三角柱状の突部４ｃとを備え、スイッチ基板２上に配置された図示省略のバルブを点灯すると、バブルから出た光は導光板部４ａ、環状部４ｂ、突部４ｃを通じて反射案内され、各突部４ｃの上端部端面で発光する構造とされている。
【０００５】
前記パネル部材５は、スイッチ素子３の操作軸３ａとジョイスティックボタン６との連結、およびジョイスティックボタン６の傾動操作に支障がない挿通孔５ａが形成されると共に、照光部材４の各突部４ｃ上端部が嵌合される対応した三角形の嵌合孔５ｂが形成されている。
【０００６】
そして、インジケータ表示装置１の組付状態においては、図５に示されるように、各突部４ｃの上端部がパネル部材５の各嵌合孔５ｂに嵌合された状態とされ、ここに、各突部４ｃ上端部の発光部は、ジョイスティックボタン６の操作方向を照光により表示する照光表示部４ｄを構成している。
【発明の開示】
【発明が解決しようとする課題】
【０００７】
しかしながら、上記従来構造のインジケータ表示装置１によれば、パネル部材５の表面が塗装された場合に、嵌合孔５ｂの端面や側面に塗装材が付着していることが多く、この状態で各嵌合孔５ｂに照光部材４の各突部４ｃを嵌入すると、嵌合孔５ｂに付着した塗装が剥がれ、照光表示部４ｄに塗装膜や塗装片が付着し、商品価値を劣化させるおそれがあった。
【０００８】
また、操作方向の表示を小さくすると、照光表示部４ｄが小さくなって、突部４ｃが細くなるため、突部４ｃの強度が弱くなり、パネル部材５の嵌合孔５ｂに照光部材４の突部４ｃ上端部を嵌入する際に、嵌合孔５ｂ周縁部に照光表示部４ｄが当たって欠落を招くおそれがあった。
【０００９】
さらに、照光部材４の発光部（照光表示部４ｄ）を複雑な異形形状にした場合、パネル部材５側に形成された嵌合孔５ｂと照光部材４の照光表示部４ｄとの嵌合が、困難になるおそれもあった。
【００１０】
従って、照光表示部４ｄの大きさや形状に制約があり、意匠性向上の弊害ともなっていた。
【００１１】
そこで、本発明の解決しようとする課題は、設計の自由度を広げて意匠性の向上を図ると共に、発光部に対する塗装膜や塗装片の付着防止や発光部の欠け防止を図ったインジケータ表示装置を提供することにある。
【課題を解決するための手段】
【００１２】
上記課題を解決すべく、請求項１に記載の発明によれば、多方向スイッチに設けられたスイッチ操作部の操作方向を照光により表示する照光表示部が、前記スイッチ操作部の周囲に備えられたインジケータ表示装置において、前記照光表示部が備えられたキャップ部材が、パネル部材に設けられたキャップ装着孔部に装着され、キャップ部材の照光表示部を内側から照光する発光部が備えられた点にある。
【００１３】
また、請求項２に記載の発明のように、前記発光部は、発光体の光を案内する導光体の一側面に突設された突部の端面に備えられている構造としてもよい。
【００１４】
さらに、請求項３に記載の発明のように、前記キャップ部材は、光透過材料により形成されたキャップ本体を備え、キャップ本体に前記照光表示部の領域を除いて塗装による塗装膜が施されている構造としてもよい。
【００１５】
また、請求項４に記載の発明のように、前記キャップ部材は、前記照光表示部が光透過材料で形成されると共に照光表示部以外の部分が遮光材料で形成されている構造としてもよい。
【発明の効果】
【００１６】
請求項１に記載のインジケータ表示装置によれば、照光表示部が備えられたキャップ部材が、パネル部材に設けられたキャップ装着孔部に装着され、キャップ部材の照光表示部を内側から照光する発光部が備えられた構造とされており、発光部を嵌合孔に嵌合させる方式でないため、組付時における発光部に対する塗装膜や塗装片の付着や発光部の欠けが有効に防止できると共に、照光表示部の形状を小さくしたり、各種形状に形成することができ、照光表示部の大きさや形状等の設計の自由度が広がり、意匠性の向上が図れる。
【００１７】
また、請求項２に記載のインジケータ表示装置によれば、発光部は、発光体の光を案内する導光体の一側面に突設された突部の端面に備えられている構造であり、コンパクトに構成できる。
【００１８】
さらに、請求項３に記載のインジケータ表示装置によれば、キャップ部材は、光透過材料により形成されたキャップ本体を備え、キャップ本体に照光表示部の領域を除いて塗装による塗装膜が施されている構造であり、照光表示部に対応する部分の塗装膜を除去する等により各種形状の照光表示部を容易に形成できる。
【００１９】
また、請求項４に記載のインジケータ表示装置によれば、キャップ部材は、照光表示部が光透過材料で形成されると共に照光表示部以外の部分が遮光材料で形成されている構造であり、二色成形等により容易に成形できる。
【発明を実施するための最良の形態】
【００２０】
以下、本発明の実施形態を図面に基づいて説明すると、図１ないし図３に示される如く、インジケータ表示装置１１は前述同様、所望の配線パターンが形成されたスイッチ基板１２と、スイッチ基板１２上に実装されたスイッチ素子１３と、スイッチ基板１２上に配置された照光部材１４と、スイッチ素子１３や照光部材１４を覆ってスイッチ基板１２上に装着されるパネル部材１５と、パネル部材１５外よりスイッチ素子１３の操作軸１３ａに接着や圧入等により連結されるスイッチ操作部としてのジョイスティックボタン１６とを備えた構造とされている。
【００２１】
前記スイッチ素子１３は、本実施形態では上下左右の４方向に接点を有する多方向スイッチとされている。
【００２２】
前記照光部材１４は、透明なアクリル樹脂等からなる導光体により構成され、板状の導光板部１４ａと、スイッチ素子１３の周囲を囲繞する厚肉形状とされた円環状の環状部１４ｂと、環状部１４ｂの上面に周方向に等間隔を有して突設された４個所の略四角柱状の突部１４ｃとを備え、スイッチ基板１２上に配置された図示省略の発光体の一例としてのバルブを点灯すると、バブルから出た光は導光板部１４ａ、環状部１４ｂ、突部１４ｃを通じて反射案内され、各突部１４ｃの上端部端面で発光する発光部１４ｄを備えた構造とされている。
【００２３】
前記パネル部材１５は、照光部材１４の環状部１４ｂより僅かに大径のキャップ装着孔部１５ａが設けられており、キャップ装着孔部１５ａの内周面には、径方向に離隔して上下方向の係止溝１５ｂが一対形成されると共に、キャップ装着孔部１５ａの内周面上部には、周方向環状のキャップ受け段部１５ｃが形成されている。
【００２４】
そして、このキャップ装着孔部１５ａに嵌合状に装着されるキャップ部材１７が別部材として備えられており、このキャップ部材１７は光透過材料、例えば（アクリル樹脂やポリカーボネート樹脂）により形成されたキャップ本体１７ａを備え、キャップ本体１７ａはキャップ受け段部１５ｃに嵌合状とされる平面視円形に形成され、その径方向に離隔した外周縁部下面には各係止溝１５ｂに嵌合される嵌合脚部１７ｂがそれぞれ垂設されると共に、各嵌合脚部１７ｂの下端部にはキャップ装着孔部１５ａの下面側に抜止め状に係止される係止突部１７ｃがそれぞれ形成されている。
【００２５】
また、キャップ本体１７ａの中心部には、スイッチ素子１３の操作軸１３ａとジョイスティックボタン１６との連結、およびジョイスティックボタン１６の傾動操作に支障がない適宜大きさの挿通孔１７ｄが形成されている。
【００２６】
さらに、キャップ本体１７ａの表面には、遮光機能を発揮するための塗装が施されて塗装膜１８が形成されると共に、ジョイスティックボタン１６の操作方向を表示するための照光表示部１９を構成すべく、照光表示部１９の領域に対応する部分の塗装膜１８をレーザ加工等により除去して形成され、本実施形態では周方向に等間隔を有して４個所、三角形状に除去されている。
【００２７】
そして、インジケータ表示装置１１の組付けに際しては、パネル部材１５のキャップ装着孔部１５ａにキャップ部材１７を押し込み嵌合すれば、各係止突部１７ｃが内側に撓み変形した後、弾性復帰し、各係止突部１７ｃがキャップ装着孔部１５ａ下面側に係止して抜止状に固定され、また、各係止溝１５ｂに対する各嵌合脚部１７ｂの嵌合により、キャップ部材１７は周方向にも回り止め状に固定される。
【００２８】
その他は従来同様に組付けることができ、インジケータ表示装置１１の組付状態においては、各突部１４ｃ上端の各発光部１４ｄがキャップ部材１７の各照光表示部１９下方のそれぞれ対応した位置に配置された構造となり、各照光表示部１９を各発光部１４ｄによって内側から照光する構造とされている。そして、その照光により各照光表示部１９が光ってジョイスティックボタン１６の操作方向を表示するように構成されている。
【００２９】
本実施形態は以上のように構成されており、キャップ部材１７に備えられた各照光表示部１９を、内側から僅かに離隔して照光部材１４に備えられた各発光部１４ｄにより照光する構造であり、従来のように発光部を嵌合孔に嵌合させる方式でないため、組付時における発光部１４ｄに対する塗装膜や塗装片の付着や発光部の欠けが有効に防止できる。
【００３０】
しかも嵌合させる方式でないため、厳密な製作精度も要求されず、容易に製作できる利点もある。
【００３１】
従って、照光表示部１９の形状を小さくしたり、各種の異形形状に形成することも可能となり、照光表示部１９の大きさや形状等の設計の自由度が広がり、意匠性の向上が図れる利点もある。
【００３２】
また、各照光表示部１９に透光性の着色を施すことにより、４方向の各々の表示色を変えることも可能となり、意匠性のより一層の向上を図ることが可能となる。
【００３３】
さらに、キャップ本体１７ａを光透過材料により形成し、表面に塗装による塗装膜１８を施した後、レーザ加工等により照光表示部１９に対応する領域の塗装膜１８を所望の形状・大きさに除去することによりキャップ部材１７を製作でき、各種形状の照光表示部１９を有するキャップ部材１７を容易に形成できる。
【００３４】
また、パネル部材１５とキャップ部材１７とを別体化せずに、光透過材料で一体に形成し、前記キャップ部材１７と同様の方法により照光表示部１９を形成して、ジョイスティックボタン１６の操作方向を照光により表示する構造とすることも可能であるが、従来同様、安価な遮光材料よりなる樹脂等でパネル部材１５を形成し、キャップ部材１７のみを光透過材料で形成して装着する場合と比較して、塗装により遮光する領域も増加し、コスト高を招く欠点がある。
【００３５】
さらに、発光部１４ｄは、別途部位に配置されたバルブ等の発光体の光を案内する照光部材１４一側面に突設された各突部１４ｃの端面にそれぞれ備えられた構造であり、各照光表示部１９の対応位置にそれぞれ発光体を配置する構造と比較して、照光部分をコンパクトに構成できる。
【００３６】
なお、上記実施形態において、光透過材料により形成されたキャップ本体１７ａに塗装を施し、塗装膜１８を除去することにより照光表示部１９を形成したキャップ部材１７を示しているが、照光表示部１９部分を光透過材料（例えばアクリル樹脂やポリカーボネート樹脂）で形成すると共に照光表示部１９以外の部分を遮光材料（例えばＡＢＳ樹脂）で形成してキャップ部材１７を製作する構造としてもよい。この場合においても上記同様の利点が発揮できると共に、キャップ部材１７の製作に際しても二色成形等により容易に成形できる。
【００３７】
また、多方向スイッチとして４方向に接点を有するスイッチ素子１３を用いた構造を示しているが、８方向に接点を有する構造であってもよく、本実施形態の数に何ら限定されない。
【００３８】
さらに、スイッチ操作部としてボタン状のジョイスティックボタン１６を採用した構造を示してるが、本実施形態の形状に何ら限定されない。
【図面の簡単な説明】
【００３９】
【図１】本発明の実施形態にかかる分解斜視図である。
【図２】同組付状態の断面図である。
【図３】同平面図である。
【図４】従来例を示す分解斜視図である。
【図５】同組付状態の断面図である。
【図６】同平面図である。
【符号の説明】
【００４０】
１１  インジケータ表示装置
１２  スイッチ基板
１３  スイッチ素子
１４  照光部材
１４ｄ  発光部
１５  パネル部材
１５ａ  キャップ装着孔部
１６  ジョイスティックボタン
１７  キャップ部材
１８  塗装膜
１９  照光表示部
【図１】
2005347206.tif 000003
【図２】
2005347206.tif 000004
【図３】
2005347206.tif 000005
【図４】
2005347206.tif 000006
【図５】
2005347206.tif 000007
【図６】
2005347206.tif 000008